(57)【要約】 【課題】  消雪機能を備える筒網体と屋根装着部を備えた消雪金具において、筒網体の底面部分に設けられる波板の組み込み構造を改善して、当該器具の製造を容易にする。【解決手段】  筒網体と筒網体を屋根に装着する屋根装着部とで構成されるものにおいて、長手方向へ平行に配置したベース横杆１１１と、前記ベース横杆1１１と直交し且つ所定間隔で連結固定したベース縦杆１１２とで梯子状としたベース部の上に、膨出網部を設けて筒網体を形成すると共に、前記ベース縦杆１１２を扁平Ｕ状とし、ベース部と対応する形状の波板１１３を、前記ベース縦杆の上下杆の間に挿入挟持してなる。【選択図】  図２
2005054517.tif 000002
【特許請求の範囲】
【請求項１】
筒網体と筒網体を屋根に装着する屋根装着部とで構成される屋根用消雪金具において、長手方向へ平行に配置したベース横杆と、前記ベース横杆と直交し且つ所定間隔で連結固定したベース縦杆とで梯子状としたベース部の上に、膨出網部を設けて筒網体を形成すると共に、前記ベース縦杆を扁平Ｕ状とし、ベース部と対応する形状の波板を、前記ベース横杆の上下杆の間に挿入挟持してなることを特徴とする屋根用消雪金具。
【請求項２】
ベース縦杆の扁平Ｕ状の開口部を網筒体の一部として後方に突出させ、突出部に波板挟圧用と屋根装着部連結用を兼ねるボルトナットを装着してなる請求項１記載の屋根用消雪金具。
【発明の詳細な説明】
【技術分野】
【０００１】
本発明は、屋根に設置される消雪金具に関するものである。
【背景技術】
【０００２】
屋根上に筒網体を設置することで、屋根積雪の融雪を促進する器具は知られている（特許文献１，２）。そして筒網体の屋根への設置手段として、屋根係止金具で吊り下げ支持したり（特許文献１）、屋根に装着される雪止め金具に付設している（特許文献２）。
【０００３】
【特許文献１】登録実用新案第３０２１１８０号公報。
【特許文献２】特開平９−２３５８４０号公報。
【発明の開示】
【発明が解決しようとする課題】
【０００４】
ところで、前記の屋根融雪を促進する筒網体には、その底面に樹脂製波板（一般的にはポリカーボネート板が使用されている）が張設されている。これは、屋根上設置に際して屋根板を傷付けないようにしたり、網目を通り抜けて筒網体の内方に入り込んだ雪が波板上に一部浮いた状態で積もった場合、波板の下面を空気が流通することで、前記の入り込んだ雪の融雪を促進したり、筒網体を覆った雪の融雪水が速やかに屋根外へ排出され再氷結を防止する等の目的をもって設置されている。
【０００５】
そして波板を筒網体に装着する従前手段は、筒網体の下面を構成する枠部材に直接リベット等で固着していたものである。しかし枠部材と波板の各々の所定箇所にリベット孔を穿設する必要があり、またその装着作業が煩雑であった。
【０００６】
そこで本発明は、筒網体への波板装着が容易である新規な構造の消雪金具を提案したものである。
【課題を解決するための手段】
【０００７】
本発明に係る消雪金具は、筒網体と筒網体を屋根に装着する屋根装着部とで構成されるものにおいて、長手方向へ平行に配置したベース横杆と、前記ベース横杆と直交し且つ所定間隔で連結固定したベース縦杆とで梯子状としたベース部の上に、膨出網部を設けて筒網体を形成すると共に、前記ベース縦杆を扁平Ｕ状とし、ベース部と対応する形状の波板を、前記ベース縦杆の上下杆の間に挿入挟持してなることを特徴とするものである。
【０００８】
而して前記消雪金具は、屋根装着部をもって屋根所定位置に設置する。屋根に積雪があると、当該積雪が軒先に向かってずり落ちて行くと共に、途中にある筒網体に覆い被さって止まり、その状態で筒網体内に空気が流通することで消雪が促進される。
【発明の効果】
【０００９】
本発明は前記構成を採用したことによって、特に筒網体の枠部材や波板にリベット孔を穿設する必要や、リベット接続の必要がなく、単に挟持するのみで良く、波板装着作業が容易となるものである。
【発明を実施するための最良の形態】
【００１０】
次に本発明の実施の形態について説明する。実施形態に示した屋根用消雪金具は、筒網体１と、屋根装着部２とで構成される。
【００１１】
筒網体１は、ベース部１１と、ベース部１１上に設けた膨出網部１２とで構成される。ベース部１１は、長手方向に平行に配置したベース横杆１１１と、ベース横杆１１１と直交して所定間隔で連結固定（溶着）したベース縦杆１１２とで全体を梯子状に形成してなり、特にベース縦杆１１２は、後方ベース横杆１１１よりも後方に突出させると共に、扁平Ｕ状として後端部にボルト孔を穿設してなる。
【００１２】
更にベース部１１は波板１１３を組み込んだもので、波板１１３は合成樹脂製（ポリカーネートが一般的である）で、前記ベース縦杆１１２の扁平Ｕ状とした上下板挟持板間に挿入し、ベース縦杆１１２の後端のボルト孔にボルト１１４を挿通し、ナット１１５を螺合緊締することで、波板１１３を上下方向から挟持してなる。
【００１３】
更にベース部１１上には、膨出網部１２を設けたもので、膨出網部１２は、前後のベース横杆１１１にアーチ状の膨出縦杆１２１を架設し、膨出縦杆１２１と格子状に連結する網横杆１２２を組み込み、更に網板１２３を張設して全体を筒網形状に形成してなるものである
【００１４】
屋根装着部２は、連結杆２１と挟持部２２とで構成され、連結杆２１は所定の長さで両端にボルト孔を設けたもので、一端のボルト孔は前記ベース縦杆１１２に挿通した波板挟持用のボルト１１４を挿通して、ベース縦杆１１２の波板１１３の挟持と同時にベース縦杆１１２と連結固定する。また他方のボルト孔は、後述する挟持部２２の貫通ボルト２２３を挿通してなる。
【００１５】
挟持部２２は、上下挟持板２２１，２２２を備え、上下挟持板２２１，２２２は、基部（一端側）を受け孔と差込部の組み合わせで、他端側を上下開口自在としたもので、上下挟持板２２１、２２２には各々ボルト孔を形成し、各ボルト孔及び連結杆２１のボルト孔を貫通する貫通ボルト２２３を装着すると共に、貫通ボルト２２３に緊締ナット２２４を螺合してなるものである。
【００１６】
而してナット１１５，２２４を緩め、筒網体１を所望の箇所に位置せしめ、挟持部２２の上下挟持板２２１，２２２が、横葺き屋根の巻きハゼａに対応する位置まで連結杆２１を回動させ、当該回動角度でナット１１５を緊締して、連結杆２１を固定する。更に上下挟持板２２１，２２２で巻きハゼａを挟持すると共に緊締ナット２２４を緊締して、金具を屋根に装着するものである。
【００１７】
従って屋根の巻きハゼａを挟持部２２で挟持することで、筒網体１を屋根上の所定箇所に設置し、これによって屋根積雪の消雪を実現するものである。また前記実施形態は横葺き屋根に対応した屋根装着部２を採用したが、本発明は、金具への波板１１３の組み込み構造に特徴があるもので、屋根装着部の構造は取り付け対象に対応して任意に定められるものである。
【図面の簡単な説明】
【００１８】
【図１】本発明の実施形態の全体斜視図。
【図２】同側面図（筒網部の説明図）。
【図３】同側面図（屋根装着状態の説明図）。
【符号の説明】
【００１９】
１          筒網体
１１        ベース部
１１１      ベース横杆
１１２      ベース縦杆
１１３      波板
１１４      ボルト
１１５      ナット
１２        膨出網部
１２１      膨出縦杆
１２２      網横杆
１２３      網板
２          屋根装着部
２１        連結杆
２２        挟持部
２２１      上部挟持板
２２２      下部挟持板
２２３      貫通ボルト
２２４      緊締ナット
【図１】
2005054517.tif 000003
【図２】
2005054517.tif 000004
【図３】
2005054517.tif 000005
【手続補正書】
【提出日】平成15年12月8日(2003.12.8)
【手続補正１】
【補正対象書類名】特許請求の範囲
【補正対象項目名】全文
【補正方法】変更
【補正の内容】
【特許請求の範囲】
【請求項１】
長手方向へ平行に配置したベース横杆と、前記ベース横杆と直交し且つ所定間隔で連結固定したベース縦杆とで梯子状としたベース部の上に、膨出網部を設けて筒網状に形成すると共に、前記ベース横杆を扁平Ｕ状とし、ベース部と対応する形状の樹脂製波板を、前記ベース横杆の上下杆の間に挿入挟持してなることを特徴とする屋根用消雪金具。
【請求項２】
請求項１記載の屋根用消雪金具に、屋根装着部を付設してなる屋根用消雪金具。
【請求項３】
ベース横杆の扁平Ｕ状の開口部を後方に突出させ、突出部に波板挟圧用と屋根装着部連結用を兼ねるボルトナットを装着してなる請求項２記載の屋根用消雪金具。
【手続補正２】
【補正対象書類名】明細書
【補正対象項目名】０００７
【補正方法】変更
【補正の内容】
【０００７】
本発明に係る消雪金具は、長手方向へ平行に配置したベース横杆と、前記ベース横杆と直交し且つ所定間隔で連結固定したベース縦杆とで梯子状としたベース部の上に、膨出網部を設けて筒網状に形成すると共に、前記ベース横杆を扁平Ｕ状とし、ベース部と対応する形状の樹脂製波板を、前記ベース横杆の上下杆の間に挿入挟持してなることを特徴とするものである。
【手続補正３】
【補正対象書類名】明細書
【補正対象項目名】０００８
【補正方法】変更
【補正の内容】
【０００８】
而して前記消雪金具は、適宜な屋根装着部をもって屋根所定位置に設置する。屋根に積雪があると、当該積雪が軒先に向かってずり落ちていくと共に、途中にある筒網状部分に覆い被さって止まり、その状態で筒網状部分内に空気が流通することで消雪が促進される。